(57)【要約】【課題】変化に富んだ形状で遊技の興趣を大きく盛り上げることのできるパチンコ機の遊技盤を提供する。【解決手段】可動翼片５１によって開閉される大入賞口５を角型筒状体７１の一方の側面に設けて大入賞口装置５０を左右非対象に形成する。なお、大入賞口５を設けた角型筒状体７１の一側から横方向に張出片７２を延設し、この張出片７２に同一方向に回動可能な２枚の可動翼片５１を取り付けて、可動翼片５１が横に回動されたときに２枚の可動翼片５１により大入賞口５への玉の流路を形成させる。また、始動入賞口装置４０を、始動入賞口４を角型筒体１０７の上部に上向きに設け、この始動入賞口４にモーター８によって前後に摺動可能な開閉用部材６１を装着したものとする。【選択図】    図２
2004254934.tif 000002
【特許請求の範囲】
【請求項１】
特定入賞口に玉が入賞すると大当たりの権利が発生する始動入賞口装置と、始動入賞口に玉が入賞すると可動翼片が開放されて大当たりが確定される大入賞口装置とが独立して配設されたパチンコ機の遊技盤において、可動翼片によって開閉される大入賞口を大入賞口装置の一方の側面に設けて大入賞口装置を左右非対象に形成したことを特徴とするパチンコ機の遊技盤。
【請求項２】
大入賞口を設けた大入賞口装置の一側から横方向に張出片を延設し、この張出片に同一方向に回動可能な２枚の可動翼片を取り付けて、可動翼片が横に回動されたときに２枚の可動翼片により大入賞口への玉の流路を形成するようにしたことを特徴とする請求項１に記載のパチンコ機の遊技盤。
【請求項３】
２枚の可動翼片は作動用基板に軸着されており、該作動用基板がソレノイドにより摺動されることにより同一方向に回動するようにしたことを特徴とする請求項２に記載のパチンコ機の遊技盤。
【請求項４】
遊技盤の特定入賞口に玉が入賞すると大当たりの権利が発生する始動入賞口装置と、始動入賞口に玉が入賞すると大当たりが確定される大入賞口装置とが独立して配設されたパチンコ機の遊技盤において、始動入賞口にモーターによって前後に摺動可能な開閉用部材を装着したことを特徴とするパチンコ機の遊技盤。
【請求項５】
始動入賞口にモーターによって前後に摺動可能な開閉用部材を装着したことを特徴とする請求項１又は２又は３に記載のパチンコ機の遊技盤。
【発明の詳細な説明】
【０００１】
【発明の属する技術分野】
本発明は、パチンコ機の入賞装置に関し、特に権利発生に伴い遊技者に多大な利益をもたらすことのできる権利物タイプのパチンコ機の入賞装置に関するものである。
【０００２】
【従来の技術】
権利物タイプのパチンコ機として、例えば特開２００２−２１９２２５号公報には図８に示すように、遊技盤のほぼ中央の可変表示装置１の下方には図柄始動入賞口２を設け、この図柄始動入賞口２の下方には特定入賞口３を設け、さらに、可変表示装置１の隣には始動入賞口（第３種始動入賞口と記す）４を有する始動入賞口装置４０を設け、始動入賞口装置４０の下方には大入賞口５に可動翼片５１を備えた大入賞口装置５０を設けたものが知られている。このような権利物タイプのパチンコ機においては、図柄始動入賞口２に玉が入賞すると可変表示装置１の表示状態が変動開始されるとともに、一定時間後に停止され、停止した可変表示装置１の表示結果が予め設定された表示に揃うと特定入賞口３が開放される。そして、特定入賞口３に玉が入賞することにより大当たりの権利が発生する。この権利発生時において始動入賞口４に玉が入賞すると大当たりが確定して可動翼片５１が回動し大入賞口５は開放されて所定時間又は所定の個数の玉を受入れることができる。そして、始動入賞口４への入賞によって大入賞口５が開放されることを一回として、最大で１６回までの繰り返しが可能である。
【０００３】
【特許文献１】特開２００２−２１９２２５号公報（図４）
【０００４】
しかしながら、従来の大入賞口装置５０は図示したように左右対称であって、大入賞口５には相互に逆方向に回動する二枚の可動翼片５１が左右対称に設けられていたので、変化に乏しいものであった。また、始動入賞口装置４は玉取り込み用の凹部４１が形成された回転体４２を備えたものであって、この回転体４２は単に回転することによって玉が入賞するものであったので、やはり変化に欠けるものであった。したがって、パチンコ機の遊技盤には変化に富んだ新規な始動入賞口装置４０や大入賞口装置５０が求められている。
【０００５】
【発明が解決しようとする課題】
本発明は上記した従来の問題点を解決し、変化に富んだ形状で遊技の興趣を大きく盛り上げることのできるパチンコ機の遊技盤を提供するためになされたものである。
【０００６】
【課題を解決するための手段】
上記の課題を解決するためになされた本発明のパチンコ機の遊技盤は、特定入賞口に玉が入賞すると大当たりの権利が発生する始動入賞口装置と、始動入賞口に玉が入賞すると可動翼片が開放されて大当たりが確定される大入賞口装置とが独立して配設されたパチンコ機の遊技盤において、可動翼片によって開閉される大入賞口を大入賞口装置の一方の側面に設けて大入賞口装置を左右非対象に形成したことを特徴とするものである。なお、大入賞口を設けた大入賞口装置の一側から横方向に張出片を延設し、この張出片に同一方向に回動可能な２枚の可動翼片を取り付けて、可動翼片が横に回動されたときに２枚の可動翼片により大入賞口への玉の流路を形成することができ、また、２枚の可動翼片は作動用基板に軸着されており、該作動用基板がソレノイドにより摺動されることにより同一方向に回動するようにできる。また、本発明のパチンコ機の遊技盤は上記したようなパチンコ機の遊技盤において、始動入賞口にモーターによって前後に摺動可能な開閉用部材を装着することができる。
【０００７】
【発明の実施の形態】
以下に図面を参照しつつ本発明の好ましい実施形態を説明する。図１は通常の遊技状態における本発明の大入賞口装置５０を、図２は大当たり確定状態における大入賞口装置５０を示す図であって、６は取付基板、７は取付基板６に螺着されたカバー枠体である。カバー枠体７は角型筒状体７１と斜め上向きで横方向に延設された張出片７２とからなり、角型筒状体７１の一方の側面で張出片７２の基部には大入賞口５が設けられている。そして、張出片７２の基部とその反対側の先端部には可動翼片５１が一対軸着されている。可動翼片５１の間には、張出片７２の下部に底板を設けていない玉抜き路１０５が形成されていて、可動翼片５１が立っている状態においては大入賞口５は閉鎖され、一方の玉抜き路１０５が開放されているので、玉は入賞することなく玉抜き路１０５を上方から下方に通過することができる。
【０００８】
可動翼片５１は横向きに回動された時に上側となる側面が平坦面５２に形成されていて、大入賞口５の開放状態にあっては、回動された２枚の可動翼片５１により大入賞口５への玉の流路が形成され、玉抜き路１０５は閉鎖されている。したがって、可動翼片５１に落下した玉は大入賞口５に流れ込むこととなる。
【０００９】
図３、４に大入賞口装置５０の構造の詳細を示す。可動翼片５１は張出片７２に設けた支軸７３に軸着されているとともに、可動翼片５１の裏側側面に設けた突起５３が１枚の作動用基板７４の孔部７５に挿し込まれているので、一対の可動翼片５１は同一方向に回動することができる。この作動用基板７４は取付基板６の裏側の取付枠１０１に挿し込み式で装着されており、張出片７２とほぼ同等の傾きで傾斜している。取付枠１０１にはソレノイド８５が固着され、このソレノイド８５のプランジャ８６の頭部が作動用基板７４の挟持片７７に挿し込まれているので、作動用基板７４はプランジャ８６の出入りによりやや傾斜した状態で左右に摺動することができる。したがって、ソレノイド８５により作動用基板７４を介して、可動翼片５１を立てた大入賞口５の閉鎖状態と、可動翼片５１を横に倒した大入賞口５の開放状態とに切り替えることができる。なお、取付枠１０１の下方には挿着部９２と玉通路９３とが形成されており、挿着部９２には大入賞口５に入賞した玉用の計数装置９１が挿し込まれている。大入賞口５に入賞した玉は計数装置９１で計数された後に玉通路９３を通過する。
【００１０】
図５〜７は本発明に係る始動入賞口装置４０を示す図であって、大入賞口装置５０とは別体のものであり、上部に上向きの始動入賞口４が形成された角型筒体１０７が取付基板１０６に取り付けられている。角型筒体１０７の裏側には始動入賞口４に対応して開閉用部材６１の挿着枠６２が突設されている。開閉用部材６１は角型であってその前部に四角形の玉通過孔６３を有し、玉通過孔６３の前部には前側壁面６３ａ、後部には中央壁面６３ｂが形成され、さらに開閉用部材６１の後端には後部壁面６５が形成されている。開閉用部材６１の中央壁面６３ｂと後部壁面６５との間には小型モーター８が装入されて、取付用部材６６、６７により開閉用部材６１と小型モーター８とが組み合わされて挿着枠６２に取り付けられる。小型モーター８はねじ山が形成されて前後に移動する回転軸８１を有し、この回転軸８１の長さは前記中央壁面６３ｂと後部壁面と６５の間隔とほぼ同じ長さとしてその間に装入してあるので、回転軸８１の前後動とともに開閉用部材６１も前後に移動することができる。なお、挿着枠６２の下部には玉計数装置９の挿し込み部６８と玉通路６９が設けられている。
【００１１】
遊技の流れを以下に説明する。
通常の遊技状態においては、図５に示すように始動入賞口４の中程まで開閉用部材６１の前側壁面６３ａが押し出されており、玉は始動入賞口４に入ることはできない。また、可動翼片５１は図１のように立ったままであるので大入賞口５が閉鎖され、玉抜き路１０５が開放されているので玉は入賞することなく可動翼片５１の間を通過してしまう。
【００１２】
図柄始動入賞口２に玉が入賞したときには可変表示装置１の表示状態が変動開始されるとともに、一定時間後に停止される。停止した可変表示装置１の表示結果が予め設定された同一図柄などに揃うと特定入賞口３が開放される。そして、この特定入賞口３に玉が入賞することにより大当たりの権利が発生する。この権利発生時になると、モーター８は回転軸８１を介して開閉用部材６１を前後に往復移動させる。玉が前側壁面６３ａの上部に乗っているばあいにおいて、開閉用部材６１が前方に押し出されて玉通過孔６３が始動入賞口４にきちんとセットされた時に玉は入賞することができる。
【００１３】
始動入賞口４に玉が入賞するとソレノイド８５が通電されプランジャ８６が吸引されて作動用基板７４を斜め下方に引き下げるので、図２のように可動翼片５１は横方向に回動されて大入賞口５は開放され大当たりの確定状態となる。大入賞口５の開放状態においては、玉は可動翼片５１の平坦面５２上を張出片７１の基部側に流下して所定時間又は所定の個数の玉を入賞玉として受入れる。そして、始動入賞口４への入賞によって大入賞口５が開放されることを一回として、最大で１６回までの繰り返しが行われるので、遊技者は短時間に玉を獲得することができる。
【００１４】
【発明の効果】
以上に説明したように、本発明のパチンコ機の遊技盤は、特定入賞口に玉が入賞すると大当たりの権利が発生する始動入賞口装置と、始動入賞口に玉が入賞すると可動翼片が開放されて大当たりが確定される大入賞口装置とが独立して配設されたパチンコ機の遊技盤において、可動翼片によって開閉される大入賞口を大入賞口装置の一方の側面に設けて大入賞口装置を左右非対象に形成したので、玉の流れに従来にない変化を付けることができる。また、大入賞口を設けた大入賞口装置の一側から横方向に張出片を延設し、この張出片に同一方向に回動可能な２枚の可動翼片を取り付けたので、可動翼片が横に回動されたときに２枚の可動翼片により大入賞口への玉の流路を形成することができる。また、始動入賞口にモーターによって前後に摺動可能な開閉用部材を装着することによっても遊技に従来にない変化を付けることができる。
したがって、本発明のパチンコ機の遊技盤は、遊技の興趣を盛り上げることができるという大きな利点を有するものである。
【図面の簡単な説明】
【図１】閉鎖状態にある本発明の大入賞口装置の前面側斜視図である。
【図２】開放状態にある本発明の大入賞口装置の前面側斜視図である。
【図３】大入賞口装置の裏面側斜視図である。
【図４】大入賞口装置の裏面側の分解斜視図である。
【図５】本発明の始動入賞口装置の前面側斜視図である。
【図６】始動入賞口装置の裏面側斜視図である。
【図７】始動入賞口装置の裏面側の分解斜視図である。
【図８】従来のパチンコ機の遊技盤の正面図である。
【符号の説明】
４  始動入賞口
５  大入賞口
８  モーター
４０  始動入賞口装置
５０  大入賞口装置
５１  可動翼片
６１  開閉用部材
７１  角型筒状体
７２  張出片
１０７  角型筒体
【図１】
2004254934.tif 000003
【図２】
2004254934.tif 000004
【図３】
2004254934.tif 000005
【図４】
2004254934.tif 000006
【図５】
2004254934.tif 000007
【図６】
2004254934.tif 000008
【図７】
2004254934.tif 000009
【図８】
2004254934.tif 000010